(57)【要約】【課題】より簡素な構成で、部品点数や占有面積を低減させることができるスイッチング電源装置を提供する。【解決手段】直流電源ＶＣＣと、直流電源ＶＣＣをスイッチングするスイッチ素子Ｑと、スイッチングにより発生するオーバーシュート電圧を直流電源ＶＣＣの入力電圧に重畳させるダイオードＤ１と、オーバーシュート電圧において正の入力電圧を超える波形の電圧を平滑にするインダクタＬ１及びコンデンサＣ１とを有する回路を具える。オーバーシュート電圧を利用することで、簡素な構成でありながら、入力電圧よりも高い出力電圧を得ることが可能である。【選択図】  図１
2004173354.tif 000002
【特許請求の範囲】
【請求項１】
直流電源と、
前記直流電源をスイッチングするスイッチ素子と、
スイッチングにより発生する尖頭波形電圧を直流電源の入力電圧又はグランド電圧に重畳させる重畳素子と、
前記尖頭波形電圧を平滑にする第一平滑素子とを具えることを特徴とするスイッチング電源装置。
【請求項２】
更に、尖頭波形電圧の電圧値を増大する増大素子を具えることを特徴とするスイッチング電源装置。
【請求項３】
尖頭波形電圧は、オーバーシュート電圧又はアンダーシュート電圧であり、
オーバーシュート電圧の場合、直流電源の正の電圧を超える波形の電圧を重畳素子にて入力電圧に重畳させて直流電源の入力電圧より高い正の出力電圧を生成させ、
アンダーシュート電圧の場合、直流電源の負の電圧を下回る波形の電圧を重畳素子にてグランド電圧に重畳させて負の出力電圧を生成させることを特徴とする請求項１又は２記載のスイッチング電源装置。
【請求項４】
更に、スイッチ素子のスイッチングにより生成される矩形波の電圧を平滑にする第二平滑素子を有し、直流電源の正の電圧よりも低い正の出力電圧を得るダウンコンバータ部を具えることを特徴とする請求項１又は２記載のスイッチング電源装置。
【請求項５】
更に、スイッチ素子のスイッチングを制御する制御部を具え、
前記制御部は、ダウンコンバータ部の電圧制御をスイッチ素子のｄｕｔｙ比にて制御すると共に、第一平滑素子にて平滑にして得られる重畳電圧の電圧制御をスイッチ素子のスイッチング周波数にて制御することを特徴とする請求項４記載のスイッチング電源装置。
【請求項６】
スイッチ素子は、ワイドバンドギャップ半導体からなることを特徴とする請求項１〜５のいずれかに記載のスイッチング電源装置。
【発明の詳細な説明】
【０００１】
【発明の属する技術分野】
本発明は、スイッチング電源装置に関するものである。特に、より簡素な構成で、直流電源の入力電圧と異なる電圧を生成することが可能なスイッチング電源装置に関するものである。
【０００２】
【従来の技術】
従来、電子部品を有するエレクトロニクス機器などでは、必要な動作電圧を得るために電源からの入力電圧をスイッチング電源装置にて適宜変換することが行われている。スイッチング電源装置として、例えば、直流電源の入力電圧よりも低い出力電圧を得る降圧型ＤＣ／ＤＣコンバータ（ダウンコンバータ）が知られている。図８は、従来のダウンコンバータの回路図である。
【０００３】
図８に示すダウンコンバータは、非絶縁型コンバータと呼ばれるものであり、高電圧側ＨＶに接続されたスイッチ素子Ｑのオン／オフ期間の比率によって入力電圧を変圧するもので、通常、一定間隔でオン／オフを繰り返す（例えば、非特許文献１参照）。スイッチ素子Ｑがオンのとき、高電圧側ＨＶに接続された直流電源から低電圧側ＬＶに接続された電子機器に電圧を通過させる。この電圧は、２次側に接続されたインダクタＬ及びコンデンサＣにより平滑にされ、入力電圧よりも低い電圧が生成される。スイッチ素子Ｑがオフのとき、高電圧側ＨＶからの電圧を遮断し、ダイオードＤを介して還流する。
【０００４】
【非特許文献１】
戸川治朗著「実用電源回路設計ハンドブック」  ＣＱ出版社  １９８８年５月２０日発刊  第９２ページ
【０００５】
【発明が解決しようとする課題】
近年、エレクトロニクス機器は、消費電力低減のために動作電圧が低下する傾向にあり、図８に示すようなダウンコンバータを具えて電源の入力電圧（例えば約１３Ｖ）を必要な電圧値（例えば、５Ｖ程度）に変化させることが行われている。その一方で液晶ドライバなどの表示系などは、１５Ｖ系が依然として使用されており、入力電圧よりも大きな電圧が必要とされる場合がある。この場合、従来は、昇圧型コンバータが別途必要となる。或いは、昇降圧型コンバータを用いる。また、０Ｖを基準とするアナログ回路に用いられる０ｐアンプや、ノーマリオン型（スイッチ素子の制御端子に信号が入力されないときにスイッチ素子が導通する）のＪＦＥＴをオフにする場合などで負の電圧を必要とされる場合もある。このとき、従来は、極性反転型コンバータを用いる。
【０００６】
このように複数の電圧を必要とする機器が増えてきているため、従来、各電圧に対応するように電源系統を増加させている。しかし、電源系統が増大することで電源回路が大規模化、複雑化する傾向が近年目立ってきており、部品点数及び専有面積が大きくなるという問題がある。そのため、より簡素な構成の電源系統が求められている。
【０００７】
そこで、本発明の主目的は、より簡素な構成で、部品点数や占有面積を低減させることができるスイッチング電源装置を提供することにある。
【０００８】
また、本発明の他の目的は、より簡素な構成で、入力電圧から複数の出力電圧を生成することが可能なスイッチング電源装置を提供することにある。
【０００９】
【課題を解決するための手段】
本発明は、スイッチ素子のスイッチングにより発生する瞬間的な電圧を入力電圧やグランド電圧に重畳させることで、上記目的を達成する。
【００１０】
即ち、本発明スイッチング電源装置は、直流電源と、前記直流電源をスイッチングするスイッチ素子と、スイッチングにより発生する尖頭波形電圧を直流電源の入力電圧又はグランド電圧に重畳させる重畳素子と、前記尖頭波形電圧を平滑にする第一平滑素子とを具えることを特徴とする。
【００１１】
直流電源をスイッチ素子により間欠的にオン／オフにする回路であって、スイッチ素子の２次側（下流側）にインダクタ（コイル）Ｌを具える回路では、スイッチ素子をＯＮにすると、インダクタＬの成分Ｌ１（インダクタンス）により、Ｌ１・ｄｉ／ｄｔで求められるオーバーシュート電圧が発生する。ｄｉ／ｄｔは、単位時間当たりの電流の変化率である。スイッチ素子をＯＦＦにすると、Ｌ１・ｄｉ／ｄｔで求められるアンダーシュート電圧が発生する。従来、オーバーシュート電圧やアンダーシュート電圧などの尖頭波形電圧は、回路を構成する素子などに不具合を生じさせるものとして発生を防止することが求められていた。しかし、本発明では、逆にこのオーバーシュート電圧又はアンダーシュート電圧を利用することで、入力電圧よりも高い出力電圧又は負の出力電圧を得るものである。以下、本発明をより詳しく説明する。
【００１２】
本発明においてスイッチ素子は、半導体からなるものが好ましい。このとき、スイッチングの際の損失を低減することができる。半導体からなるスイッチ素子としては、例えば、ＪＦＥＴ（接合形電界効果トランジスタ）、ＦＥＴ（電界効果トランジスタ）、バイポーラトランジスタ、サイリスタ、ＧＴＯ（ゲートターンオフサイリスタ）、ＩＧＢＴ（絶縁ゲート型バイポーラトランジスタ）などが挙げられる。特に、ワイドバンドギャップ半導体からなるスイッチ素子を用いると、従来よく用いられているＳｉ系半導体からなるスイッチ素子よりも、より低損失で高速動作が可能である。そのため、ｄｉ／ｄｔが大きくなるので、尖頭波形電圧の電圧値を大きくすることが可能であり、入力電圧よりも高い電圧や負の電圧をより効率よく生成することができて好ましい。
【００１３】
尖頭波形電圧としては、オーバーシュート電圧やアンダーシュート電圧などのサージ電圧が挙げられる。オーバーシュート電圧は、以下のようにして発生する。例えば、スイッチ素子をＯＮにして電源から回路に電流が流れて０Ｖから電源電圧（入力電圧）に上昇していく際、インダクタに磁界が発生してエネルギーを蓄える。そして、出力電圧が入力電圧となるまで上昇しても、インダクタの磁界がすぐに消えず、蓄えたエネルギーがなくなるまで電流を流す。これがオーバーシュート電圧として現れる。一方、アンダーシュート電圧は、上記と逆に、例えば、スイッチ素子をＯＦＦにして電源からの電流が徐々に０Ｖに降下していく際に発生するものである。即ち、本発明は、スイッチングにより発生する二つの尖頭波形電圧を利用して、電源電圧よりも高い電圧又は負の電圧といった電源電圧と異なる二つの出力電圧を同様の回路にて得ることができる。なお、回路の出力部は、上記二つの出力電圧のうち、所望のいずれか一方の電圧を出力する。
【００１４】
尖頭波形電圧を入力電圧又はグランド電圧に重畳させる重畳素子としては、ダイオードが挙げられる。重畳素子がない場合、スイッチ素子のスイッチングにて尖頭波形電圧を発生させても、尖頭波形電圧は、直流電源に引き込まれてしまい、発生させた尖頭波形電圧がなくなってしまう。従って、重畳素子を具えることで、尖頭波形電圧を入力電圧又はグランド電圧に重畳させることが可能であり、所望する出力電圧を得ることができる。
【００１５】
尖頭波形電圧がオーバーシュート電圧の場合、直流電源の正の電圧を越える波形の電圧を上記重畳素子にて入力電圧に重畳させるとよい。このとき、直流電源よりも高い出力電圧を生成させることができる。また、尖頭波形電圧がアンダーシュート電圧の場合、電源電圧のマイナス側の電位（負の電圧）を基準電位とする。そして、直流電源の負の電圧を下回る波形の電圧を上記重畳素子にてグランド電圧を重畳させることで、負の出力電圧を生成させることができる。
【００１６】
尖頭波形電圧において直流電源の正の電圧を越える波形、又は直流電源の負の電圧を下回る波形の電圧は、平滑にして出力することが好ましい。そこで、本発明では、尖頭波形電圧を平滑にする第一平滑素子を具える。第一平滑素子としては、例えば、インダクタ及びコンデンサが挙げられる。これら平滑素子は、電圧の平滑用に通常用いられているものを使用してもよい。
【００１７】
また、ｄｉ／ｄｔを大きくして尖頭波形電圧の電流値をより大きくするために、更に増大素子を具えていてもよい。この増大素子としては、例えば、インダクタ及びコンデンサが挙げられる。これら増大素子は、上記平滑素子と同様のものを使用してもよい。
【００１８】
上記では、尖頭波形電圧を利用して直流電源の入力電圧と異なる二つの電圧を得る構成であるが、その他の電圧、具体的には、直流電源の正の入力電圧よりも低い正の出力電圧を得る構成として、更に、ダウンコンバータ部を具えてもよい。ダウンコンバータ部は、スイッチ素子のスイッチングにより生成される矩形波の電圧を平滑にする第二平滑素子を具えるものが挙げられる。第二平滑素子は、例えば、上記第一素子と同様にインダクタ及びコンデンサが挙げられる。また、通常のＢｕｃｋ型のダウンコンバータを用いてもよく、非絶縁型、絶縁型のいずれでもよい。回路にダウンコンバータ部を具える場合、尖頭波形電圧を重畳して平滑にした電圧（重畳電圧）用の出力部に加えて、ダウンコンバータ用の出力部を具える。上記構成に加えてダウンコンバータ部を具えることで、異なる二つの系統の電圧を得ることができる。即ち、本発明は、一つのスイッチ素子で、ダウンコンバータ部により直流電源の入力電圧を降圧して入力電圧よりも低い出力電圧を得ると同時に、オーバーシュート電圧を利用して電源電圧よりも高い電圧を生成したり、アンダーシュート電圧を利用して負の電圧を生成したりすることが可能となる。
【００１９】
尖頭波形電圧を重畳して第一平滑素子にて平滑にして得られる重畳電圧の大きさや、ダウンコンバータ電圧の大きさは、それぞれ別個に制御部を具えて制御してもよいが、この場合、制御部が複数必要になり、部品点数や占有面積の減少化が実現しにくい。そこで、本発明では、スイッチ素子のオン／オフを制御する制御部を利用して、重畳電圧やダウンコンバータ電圧の大きさを制御する。具体的には、スイッチ素子のスイッチングを制御する制御部を具え、制御部は、ダウンコンバータ部の電圧制御をスイッチ素子のｄｕｔｙ比にて制御すると共に、重畳電圧の電圧制御をスイッチ素子のスイッチング周波数にて制御することを規定する。
【００２０】
この構成により、一つの制御部で、スイッチ素子のスイッチングだけでなく、種々の電圧値をコントロールすることが可能であり、回路をより簡素化することができる。このような制御部としては、例えば、スイッチ素子に通常用いられている制御ＩＣなどで、スイッチング周波数及びｄｕｔｙ比を制御できるものが挙げられる。
【００２１】
ダウンコンバータ部の電圧制御は、スイッチ素子のオン／オフ時間の比、通常、スイッチ素子をオンにしている期間とオフにしている期間の比率（ｄｕｔｙ比）によって制御可能である。ダウンコンバータ部では、スイッチ素子がオンの際、第二平滑素子、具体的には、インダクタにエネルギーを蓄積しながら、負荷に電力を供給し、スイッチ素子がオフの際、インダクタに蓄えたエネルギーを負荷に供給する。従って、例えば、ｄｕｔｙ比を大きくする、即ち、スイッチ素子のオンの時間を長くすると、蓄積されるエネルギーが大きくなることから、負荷が一定であればダウンコンバータ電圧を大きくすることができる。このとき、ｄｕｔｙ比が変化しても、単位時間あたりのオーバーシュート又はアンダーシュートの回数は不変であるため、ｄｕｔｙ比が尖頭波形電圧を重畳して平滑した後に得られる電圧（重畳電圧）に影響を与えることはない。
【００２２】
一方、重畳電圧は、上記のように単位時間内に何個の尖頭波形が存在するかが問題である。従って、重畳電圧の制御は、単位時間に存在する尖頭波形の割合（スイッチング周波数）によって制御可能である。尖頭波形電圧の電圧値そのものは、スイッチ素子をオン／オフしたときの単位時間当たりの電流変化量に比例して決定されるため、スイッチング周波数の増減で変化することはない。しかし、スイッチング周波数を増減することで、尖頭波形の数が増減するため、入力電圧又はグランド電圧に尖頭波形電圧を重畳し平滑にして得られる重畳電圧の電圧値は、スイッチング周波数により変化する。例えば、スイッチング周波数を大きくすることで、重畳電圧を大きくすることができる。ここで、スイッチング周波数を変化させても、上記のようにｄｕｔｙ比が変化することはない。従って、スイッチング周波数がダウンコンバータ部の電圧に影響を与えることはない。なお、重畳電圧の電圧値の上限は、入力電圧＋オーバーシュート電圧、又はグランド電圧＋アンダーシュート電圧である。
【００２３】
本発明スイッチング電源装置は、電子部品を有するエレクトロ機器などに具えることが好ましい。具体的には、車載用電装品などが挙げられる。特に、液晶ドライバなどが必要となるディスプレイを具えるものに有効である。
【００２４】
【発明の実施の形態】
以下、本発明の実施の形態を説明する。
（実施例１−１）  直流電源の入力電圧よりも高い電圧を得る場合
まず、オーバーシュート電圧を用いて電源の入力電圧を越える電圧を得る構成について説明する。図１は、本発明スイッチング電源装置の基本構成を示す回路図である。本発明スイッチング電源装置は、直流電源ＶＣＣと、直流電源ＶＣＣをスイッチングするスイッチ素子Ｑと、スイッチングにより発生するオーバーシュート電圧を直流電源ＶＣＣの入力電圧に重畳させるダイオードＤ１と、オーバーシュート電圧において正の入力電圧を超える波形の電圧を平滑にするインダクタＬ１及びコンデンサＣ１とを有する回路を具える。本例では、スイッチ素子Ｑとして、トランジスタを用いた。以下、本発明スイッチング電源装置の動作を説明する。
【００２５】
図１に示す回路において、スイッチ素子Ｑをオンにすると、スイッチ素子Ｑの２次側（図１において右側）に接続されるインダクタＬ１のインダクタンスＬ１’×ｄｉ／ｄｔで求められるオーバーシュート電圧が発生する。図２にオーバーシュート電圧の波形を示す。
【００２６】
本発明では、ダイオードＤ１を具えることで、オーバーシュート電圧が電源ＶＣＣ側に引き込まれることがなく、オーバーシュート電圧を出力側の電圧に加えることができる。そこで、ダイオードＤ１を用いて、オーバーシュート電圧を電源ＶＣＣの入力電圧に重畳すると、その波形は、図３のグラフに示すように、破線の直線で表される入力電圧に複数の尖頭波形（山）が存在する状態となる。
【００２７】
図３に示す尖頭波形電圧において、入力電圧を越える波形の電圧をインダクタＬ１及びコンデンサＣ１にて平滑にする。平滑後の波形を図３に示す。図３に示すように、得られた平滑後の出力電圧（重畳電圧）は、入力電圧よりも高い電圧であることがわかる。このように本発明は、オーバーシュート電圧を利用することで、簡素な構成でありながら、入力電圧よりも高い出力電圧を得ることが可能である。
【００２８】
また、本例においてスイッチ素子ＱをＳｉＣなどのワイドバンドギャップ半導体からなる高速応答が可能なものを用いると、ｄｉ／ｄｔをより大きくすることができるため、より大きなオーバーシュート電圧を得ることが可能である。従って、より大きな出力電圧を効率よく得ることができる。
【００２９】
なお、図１に示す回路においてダイオードＤ２を具えているのは、スイッチ素子Ｑがオフの際、インダクタＬ１の電圧がＧＮＤレベル（０Ｖ）にまで降下することを防止するためである。また、抵抗Ｒは、単位時間当たりの電流変化量に応じて尖頭波形電圧が変化するため、電流量を定めるために設けている。
【００３０】
（実施例１−２）  負の電圧を得る場合
次に、アンダーシュート電圧を用いて負の出力電圧を得る方法を説明する。この場合も上記図１に示す本発明スイッチング電源装置と同様の構成が適用できる。図１に示す回路において、スイッチ素子Ｑをオフにすると、スイッチ素子Ｑの２次側（図１において右側）に接続されるインダクタＬ１のインダクタンスＬ１’×ｄｉ／ｄｔで求められるアンダーシュート電圧が発生する。図４にスイッチ素子をオフにした際の電圧の波形を示す。スイッチ素子Ｑをオフにしても、インダクタＬ１に電流が流れ続けようとして電流が流れるため、すぐにＧＮＤレベルとならない。このとき、インダクタＬ１の片端は、接地されているため、ＧＮＤレベルから電圧降下が発生して、インダクタＬ１の片端の電圧は、ＧＮＤ以下となる。これがアンダーシュート電圧として現れる。その後、インダクタＬ１とコンデンサＣ１とが共振回路となって振動しながらＧＮＤに収束する。このアンダーシュート電圧を上記と同様にダイオードＤ１を用いて、グランド電圧に重畳し、アンダーシュート電圧において直流電源の負の電圧を下回る波形の電圧をインダクタＬ１及びコンデンサＣ１にて平滑にすると、得られた重畳電圧は、負の電圧となる。このように本発明は、アンダーシュート電圧を利用することで、上記と同様の簡素な構成でありながら、負の電圧を得ることが可能である。
【００３１】
なお、本例において、上記と同様にスイッチ素子をワイドバンドギャップ半導体からなるものを用いると、電圧値がより大きなアンダーシュート電圧を得ることができ、より小さな（絶対値の大きな）負の電圧を効率よく得ることができる。
【００３２】
（実施例２）  増大素子を具える場合
更に、上記図１に示す回路に尖頭波形電圧の電圧値を増大する増大素子を具える構成を説明する。図５は、増大素子を具える本発明スイッチング電源装置の回路図である。図中、図１と同じ符号は、同一のものを示す。本例では、図１に示す回路に加えて、増大素子として、インダクタＬ０及びコンデンサＣ０を具える。この回路では、これらインダクタＬ０及びコンデンサＣ０によってオーバーシュート電圧又はアンダーシュート電圧の電圧値を大きくすることができる。従って、重畳電圧の電圧値を大きくすることが可能である。
【００３３】
（実施例３）  ダウンコンバータ部を具える場合
次に、上記図１に示す回路とダウンコンバータ機能を有する回路とを共通化した構成を説明する。図６は、ダウンコンバータ部を具える本発明スイッチング電源装置の回路図である。図中、図１と同じ符号は、同一のものを示す。本例では、図１に示す回路に加えて、スイッチ素子Ｑの２次側（図６において右側）に、スイッチ素子Ｑのスイッチングにより生成される矩形波の電圧を平滑にするインダクタＬ２及びコンデンサＣ２を有するダウンコンバータ部ＤＣを具える。本例のダウンコンバータ部ＤＣは、整流用のダイオードＤ３を具える通常のＢｕｃｋ型のダウンコンバータとした。
【００３４】
図６に示す回路では、実施例１と同様にスイッチ素子Ｑをオン又はオフにする際に発生するオーバーシュート電圧又はアンダーシュート電圧を利用して、重畳電圧（入力電圧よりも高い電圧又は負の電圧）を得ることができる。同時に、ダウンコンバータ部ＤＣにより、スイッチ素子Ｑのスイッチングで直流電源ＶＣＣの正の入力電圧よりも低い正の出力電圧を得ることができる。従って、本発明スイッチング電源装置は、一つのスイッチ素子で異なる電圧値の出力電圧を得ることができ、部品点数や占有面積を低減することができる。
【００３５】
（実施例４）  制御部を具える場合
次に、上記図６に示す回路にスイッチ素子の制御部を具える構成を説明する。図７は、スイッチ素子の制御部を具える本発明スイッチング電源装置の回路図である。図中、図６と同一の符号は、同一のものを示す。本例では、図６に示す回路に加えて、スイッチ素子Ｑのスイッチングを制御する制御部（コントローラ）Ｃｔを具える。この制御部Ｃｔでは、スイッチ素子Ｑの制御に加えて、重畳電圧の電圧制御、及びダウンコンバータ部ＤＣの電圧制御を行う。
【００３６】
重畳電圧の制御は、スイッチ素子Ｑのスイッチング周波数により制御することができる。また、ダウンコンバータ部ＤＣの電圧制御は、スイッチングのｄｕｔｙ比によって制御することができる。そして、スイッチング周波数は、ダウンコンバータ部ＤＣの電圧に何らの影響も与えず、かつ、ｄｕｔｙ比は、重畳電圧に何らの影響も与えない。従って、制御部Ｃｔとして、スイッチング周波数及びｄｕｔｙ比の双方を制御可能な制御ＩＣを用いることで、スイッチ素子Ｑのスイッチングだけでなく、２電源系統を１ｃｈの制御部で制御することが可能となる。従って、図７に示す本発明スイッチング電源装置は、周辺回路をより簡素にすることができる。
【００３７】
【発明の効果】
以上説明したように本発明スイッチング電源装置によれば、尖頭波形電圧を利用することで、部品点数が少ないより簡素な構成でありながら、直流電源の入力電圧よりも高い電圧や負の電圧を得ることができるという優れた効果を奏する。
【００３８】
また、ダウンコンバータ部を具えることで、上記に加えて、正の入力電圧よりも低い正の出力電圧を得ることができる。従って、一つのスイッチ素子で電圧値の異なる複数の出力電圧を得ることができ、部品点数の低減、占有面積の縮小を実現することが可能である。
【００３９】
更に、スイッチ素子の制御部において、重畳電圧の電圧制御及びダウンコンバータ部の電圧制御を行うことで、二つの異なる電源系統を一つの制御部で制御できる。そのため、本発明は、周辺回路をより簡素にすることが可能である。
【図面の簡単な説明】
【図１】本発明スイッチング電源装置の基本構成を示す回路図である。
【図２】オーバーシュート電圧の波形を模式的に示すグラフである。
【図３】オーバーシュート電圧の波形、電源の入力電圧の波形、平滑後の出力電圧の波形を模式的に示すグラフである。
【図４】図１に示す回路において、スイッチ素子をオフにした際の電圧の波形を模式的に示すグラフである。
【図５】増大素子を具える本発明スイッチング電源装置の回路図である。
【図６】ダウンコンバータ部を具える本発明スイッチング電源装置の回路図である。
【図７】スイッチ素子の制御部を具える本発明スイッチング電源装置の回路図である。
【図８】従来のダウンコンバータの回路図である。
【符号の説明】
Ｃ、Ｃ０、Ｃ１、Ｃ２  コンデンサ  Ｃｔ  制御部  Ｄ、Ｄ１〜Ｄ３  ダイオード
ＤＣ  ダウンコンバータ部  Ｌ、Ｌ０、Ｌ１、Ｌ２  インダクタ  Ｑ  スイッチ素子
ＶＣＣ  直流電源
【図１】
2004173354.tif 000003
【図２】
2004173354.tif 000004
【図３】
2004173354.tif 000005
【図４】
2004173354.tif 000006
【図５】
2004173354.tif 000007
【図６】
2004173354.tif 000008
【図７】
2004173354.tif 000009
【図８】
2004173354.tif 000010